(57)【特許請求の範囲】
【請求項１】
マルチキャリア信号を送信する様に構成された無線通信送信機での方法であって、
前記マルチキャリア信号は、区別できる周波数領域を占有する２つ以上の別々に変調されたキャリアを統合したものであり、
取得した前記２つ以上のキャリアのそれぞれに対して、単一のキャリアのみを送信するとした場合に、事前に決定された帯域外発射要求条件を達成するために、事前に決定された公称最大送信電力から該単一のキャリアが減少させるべき最大送信電力量を示すキャリア固有メトリックを取得するステップと、
前記２つ以上のキャリアのキャリア固有メトリックに基づき、前記マルチキャリア信号の最大送信電力を減少させるためのマルチキャリア送信機バックオフ・メトリックを推定するステップと、
を含むことを特徴とする方法。
【請求項２】
キャリア固有メトリックを取得する前記ステップは、キャリアの信号の１つ以上の構成パラメータに基づき、キャリア固有メトリックを計算するステップ、或いは、ルックアップ・テーブルからキャリア固有メトリックを読み出すステップを含む、
ことを特徴とする請求項１に記載の方法。
【請求項３】
前記１つ以上の構成パラメータは、広帯域符号分割多重アクセス（ＷＣＤＭＡ）信号の物理チャネルの利得係数、又は、ロング・ターム・エボリューション（ＬＴＥ）信号のリソース・ブロック配分及び変調方法を含む、
ことを特徴とする請求項２に記載の方法。
【請求項４】
キャリア固有メトリックを取得する前記ステップは、キュービック・メトリック、ピーク対平均電力比又は最大電力削減値を取得するステップを含む、
ことを特徴とする請求項１に記載の方法。
【請求項５】
マルチキャリア送信機バックオフ・メトリックを推定する前記ステップにおける推定は、さらに、前記キャリアの１つにおける１つ以上のチャネルの電力と、他のキャリアの対応する１つ以上のチャネルの電力との電力比に基づく、
ことを特徴とする請求項１に記載の方法。
【請求項６】
前記電力比は、前記キャリアの１つにおける総てのチャネルの電力と、他のキャリアの総てのチャネルの電力との比、或いは、前記キャリアの１つにおける単一の制御チャネルの電力と、他のキャリアの対応する制御チャネルの電力との比を含む、
ことを特徴とする請求項５に記載の方法。
【請求項７】
マルチキャリア送信機バックオフ・メトリックを推定する前記ステップにおける推定は、さらに、前記キャリアの少なくとも１つにおける信号の１つ以上の構成パラメータに基づく、
ことを特徴とする請求項１に記載の方法。
【請求項８】
前記１つ以上の構成パラメータは、ＷＣＤＭＡ信号の物理チャネルの利得係数、又は、ロング・ターム・エボリューション（ＬＴＥ）信号のリソース・ブロック配分及び変調方法を含む、
ことを特徴とする請求項７に記載の方法。
【請求項９】
マルチキャリア送信機バックオフ・メトリックを推定する前記ステップにおける推定は、取得した前記２つ以上のキャリアのキャリア固有メトリックの重み付け合計に基づく、
ことを特徴とする請求項１に記載の方法。
【請求項１０】
各キャリア固有メトリックに適用される重みは、一定である、或いは、前記キャリアの１つにおける１つ以上のチャネルの電力と他のキャリアの対応する１つ以上のチャネルの電力との電力比と、前記キャリアの少なくとも１つの信号の１つ以上の構成パラメータとの少なくとも１つに基づく、
ことを特徴とする請求項９に記載の方法。
【請求項１１】
各キャリア固有メトリックに適用される重みは、前記キャリアの１つにおける１つ以上のチャネルの電力と他のキャリアの対応する１つ以上のチャネルの電力との電力比に依存し、
前記方法は、さらに、前記電力比の値、又は、複数の範囲のうちの前記電力比が属する１つの範囲に基づき、前記重みを計算するステップ、或いは、ルックアップ・テーブルから前記重みを読み出すステップを含む、
ことを特徴とする請求項９に記載の方法。
【請求項１２】
マルチキャリア信号を送信する様に構成された無線通信送信機であって、
前記マルチキャリア信号は、区別できる周波数領域を占有する２つ以上の別々に変調されたキャリアを統合したものであり、
前記２つ以上のキャリアのそれぞれに対して、単一のキャリアのみを送信するとした場合に、事前に決定された帯域外発射要求条件を達成するために、事前に決定された公称最大送信電力から該単一のキャリアが減少させるべき最大送信電力量を示すキャリア固有メトリックを取得し、取得した前記２つ以上のキャリアのキャリア固有メトリックに基づき、前記マルチキャリア信号の最大送信電力を減少させるためのマルチキャリア送信機バックオフ・メトリックを推定する様に構成されているマルチキャリア送信機バックオフ・メトリック推定回路を備えている、
ことを特徴とする無線通信送信機。
【請求項１３】
前記マルチキャリア送信機バックオフ・メトリック推定回路は、キャリアの信号の１つ以上の構成パラメータに基づき、キャリア固有メトリックを計算、或いは、ルックアップ・テーブルからキャリア固有メトリックを読み出すことにより、キャリア固有メトリックを取得する様に構成されている、
ことを特徴とする請求項１２に記載の無線通信送信機。
【請求項１４】
前記１つ以上の構成パラメータは、広帯域符号分割多重アクセス（ＷＣＤＭＡ）信号の物理チャネルの利得係数、又は、ロング・ターム・エボリューション（ＬＴＥ）信号のリソース・ブロック配分及び変調方法を含む、
ことを特徴とする請求項１３に記載の無線通信送信機。
【請求項１５】
前記マルチキャリア送信機バックオフ・メトリック推定回路は、キュービック・メトリック、ピーク対平均電力比又は最大電力削減値を、キャリア固有メトリックとして取得する様に構成されている、
ことを特徴とする請求項１２に記載の無線通信送信機。
【請求項１６】
前記マルチキャリア送信機バックオフ・メトリック推定回路は、さらに、前記キャリアの１つにおける１つ以上のチャネルの電力と、他のキャリアの対応する１つ以上のチャネルの電力との電力比に基づき、前記マルチキャリア送信機バックオフ・メトリックを推定する様に構成されている、
ことを特徴とする請求項１２に記載の無線通信送信機。
【請求項１７】
前記電力比は、前記キャリアの１つにおける総てのチャネルの電力と、他のキャリアの総てのチャネルの電力との比、或いは、前記キャリアの１つにおける単一の制御チャネルの電力と、他のキャリアの対応する制御チャネルの電力との比を含む、
ことを特徴とする請求項１６に記載の無線通信送信機。
【請求項１８】
前記マルチキャリア送信機バックオフ・メトリック推定回路は、さらに、前記キャリアの少なくとも１つにおける信号の１つ以上の構成パラメータに基づき、前記マルチキャリア送信機バックオフ・メトリックを推定する様に構成されている、
ことを特徴とする請求項１２に記載の無線通信送信機。
【請求項１９】
前記１つ以上の構成パラメータは、ＷＣＤＭＡ信号の物理チャネルの利得係数、又は、ロング・ターム・エボリューション（ＬＴＥ）信号のリソース・ブロック配分及び変調方法を含む、
ことを特徴とする請求項１８に記載の無線通信送信機。
【請求項２０】
前記マルチキャリア送信機バックオフ・メトリック推定回路は、前記マルチキャリア送信機バックオフ・メトリックを、取得した前記２つ以上のキャリアのキャリア固有メトリックの重み付け合計に基づかせる様に構成されている、
ことを特徴とする請求項１２に記載の無線通信送信機。
【請求項２１】
各キャリア固有メトリックに適用される重みは、一定である、或いは、前記キャリアの１つにおける１つ以上のチャネルの電力と他のキャリアの対応する１つ以上のチャネルの電力との電力比と、前記キャリアの少なくとも１つの信号の１つ以上の構成パラメータとの少なくとも１つに基づく、
ことを特徴とする請求項２０に記載の無線通信送信機。
【請求項２２】
各キャリア固有メトリックに適用される重みは、前記キャリアの１つにおける１つ以上のチャネルの電力と他のキャリアの対応する１つ以上のチャネルの電力との電力比に依存し、
前記マルチキャリア送信機バックオフ・メトリック推定回路は、さらに、前記電力比の値、又は、複数の範囲のうちの前記電力比が属する１つの範囲に基づき、前記重みを計算し、或いは、ルックアップ・テーブルから前記重みを読み出す様に構成されている、
ことを特徴とする請求項２０に記載の無線通信送信機。
【発明の詳細な説明】
【技術分野】
【０００１】
本発明は、概して、マルチキャリア送信機に関し、特に、マルチキャリア信号の最大送信電力を削減するためのバックオフ（Ｂａｃｋ−ｏｆｆ）メトリック（ｍｅｔｒｉｃ）の推定に関する。
【背景技術】
【０００２】
無線通信の送信機は、送信のための周波数領域以外の領域にも、実際には、エネルギーを放出している。何らかの規制がなければ、不要放射は、これらの周波数領域で動作する他の通信システムに実質的に干渉する。無線通信の規格は、よって、送信機の帯域外（ＯＯＢ）発射に規制を設けている。
【０００３】
帯域外発射条件は、通常、目的とする送信チャネル付近の各チャネルに対する最小隣接チャネル電力漏洩比（ＡＣＬＲ）を規定する。ＡＣＬＲは、ある近傍チャネルへの漏洩電力に対する目的のチャネルに送出された電力の比である。通常、近傍チャネルへの漏洩は、送信機の電力増幅器の動作点と直接関係する。近傍チャネルへの漏洩電力量は、例えば、電力増幅器が非線形領域において高い電力レベルで動作しているとき、相互変調歪により増加する。よって、予め決められた帯域外発射に対する要求条件を満たす効果的な方法は、目的とする送信チャネルでの最大送信電力を、その公称値から減少させる、或いは、バックオフ（後退）させることである。
【０００４】
最大送信電力をバックオフさせなければならない量は、増幅器効率と、送信波形の特性（例えば、変調、拡散符号、拡散率、利得係数等）とに依存する。幾つかの信号において、これらの特性は、非特許文献１に記載されている様に、キュービック・メトリック（ＣＭ）又はピーク対平均電力比（ＰＡＰＲ）として良好に定量化されている。しかしながら、その様な量の素早い計算のためには、多くの計算リソースを必要とし、送信信号波形の特性の動的な変更による必要なバックオフの推定において特に問題となる。
【先行技術文献】
【非特許文献】
【０００５】
【非特許文献１】３ＧＰＰ  Ｔｅｃｈｎｉｃａｌ  ｓｐｅｃｉｆｉｃａｔｉｏｎ  ＴＳ２５．１０１，Ｒｅｌｅａｓｅ  ８
【非特許文献２】“Ｄｕａｌ−Ｃｅｌｌ  ＨＳＵＰＡ”，３ＧＰＰ  Ｗｏｒｋ  Ｉｔｅｍ  Ｄｅｓｃｒｉｐｔｉｏｎ，ＲＰ−０９００１４，３ＧＰＰ  Ｒｅｌ．９
【発明の概要】
【発明が解決しようとする課題】
【０００６】
単一キャリア送信機のための、この問題に取り組む種々の公知の方法においては、送信信号波形の総ての利用可能な構成に対してＰＡＰＲ又はＣＭを予め計算し、対応する必要なバックオフをルックアップ・テーブルに保存しておく。しかしながら、この方法は、利用可能な構成数が増加すると、必要なルックアップ・テーブルのサイズにより、実行可能ではなくなる。例えば、マルチキャリア送信機は、それぞれが他から区別できる周波数領域を占有する２つ以上の別々に変調されたキャリアを同時に送信する。例えば、非特許文献２に要約されているマルチキャリアの動作を参照。各キャリアの構成が、他のキャリアの構成とは無関係である場合、合成波形の利用可能な構成数（よって、必要なルックアップ・テーブルのサイズ）は、単一キャリア送信機の場合よりも数オーダ大きくなる。
【課題を解決するための手段】
【０００７】
ここに教示する方法及び装置は、マルチキャリア信号の各キャリアに固有のメトリックに基づきマルチキャリア信号の最大送信電力の削減量を推定する。つまり、マルチキャリア信号の合成波形のメトリックを判定する代わりに、本発明は、マルチキャリア信号の各キャリアのメトリックを取得し、少なくとも一実施形態において、必要なバックオフを推定するためにこれらメトリックを結合する。
【０００８】
より詳しくは、本発明の送信機は、マルチキャリア信号の各キャリアのキャリア固有メトリックを取得するマルチキャリア送信機バックオフ・メトリック推定回路を備えている。各キャリアについて取得するメトリックは、直接的又は間接的に、単一のキャリアのみを送信するとした場合に、事前に決定された帯域外発射要求条件を達成するために、事前に決定された公称最大送信電力から当該キャリアが減少させるべき最大送信電力量を示している。例えば、ある実施形態において、キャリアのキャリア固有メトリックは、ＰＡＰＲ、ＣＭ又はキャリアの信号の任意の他の同様なメトリックを含んでいる。他の実施形態において、キャリアのキャリア固有メトリックは、当該キャリアが単一キャリア送信機で送信されたとした場合に、当該キャリアに対して決定される最大電力削減値（例えば、ＭＰＲ）を含んでいる。このＭＰＲは、例えば、直接的に又は間接的に、ＰＡＰＲ、ＣＭ若しくは同様のメトリック又はそれらの近似に基づく値であり得る。取得したキャリア固有メトリックの種類に拘わらず、マルチキャリア送信機バックオフ・メトリック推定回路は、その後、それらのキャリア固有メトリックに基づきバックオフ・メトリックを推定する。
【０００９】
一般的に、バックオフ・メトリックの推定を、これらキャリア固有メトリックに基づかせることで、マルチキャリア信号のために取得する同様のメトリックに基づくバックオフ・メトリックの推定と比較して、全体として、送信機における計算の複雑度が低く、及び／又は、メモリの使用量が少なくなる。実際、他のキャリアの構成とは無関係に定義された各キャリアの構成では、マルチキャリア信号の可能な構成数は、全体として、キャリア数と共に指数関数的に増加する。マルチキャリア信号の構成パラメータをＰＡＰＲ、ＣＭ又はＭＰＲにマッピングするルックアップ・テーブルは、よって、実現不可能な程大きくなり、計算も実現不可能な程複雑になる。一方、幾つかの実施形態の送信機は、各キャリアの信号の構成パラメータをそのキャリア固有メトリックにマッピングする比較的小さなルックアップ・テーブルを維持し、総てのキャリアのキャリア固有メトリックを同じルックアップ・テーブルから読み出すことにより取得する。各キャリア固有メトリックを取得するために同じ小さなルックアップ・テーブルを使用することで、送信機のメモリ使用量は比較的に低くなる。
【００１０】
キャリア固有メトリックを取得すると、幾つかの実施形態のバックオフ・メトリック推定回路は、キャリア固有メトリック及び１つのキャリアの電力と他のキャリアの電力との電力比の両方の推定の基礎とする。これは、例えば、キャリア固有メトリックの重み付き合計に基づきバックオフ・メトリックを推定することを含むことができ、各キャリア固有メトリックに適用される重みは、電力比に基づく。異なる電力比に対する重みの値は、電力比の関数として表され、或いは、ルックアップ・テーブルに格納される。よって、バックオフ・メトリック推定回路は、各キャリアの構成パラメータに基づきキャリア固有メトリックを取得し、かつ、電力比に基づき重みを取得するために、少しの比較的に小さなルックアップ・テーブルのみ、或いは、簡易な計算のみを必要とする。
【００１１】
もちろん、本発明は、上記特徴及び利点に制限されない。実際、当業者は、以下の詳細な説明を読み及び付随する図面を見ることで、更なる特徴及び利点を認識するであろう。
【図面の簡単な説明】
【００１２】
【図１】本発明の一実施形態によるマルチキャリア送信機のブロック図。
【図２】図１のマルチキャリア送信機が実行する方法のフローチャート。
【図３】本発明の一実施形態によるマルチキャリア送信機バックオフ・メトリック推定回路のブロック図。
【図４】マルチキャリア信号のキャリア電力の様々な比率に対しての、キャリア固有メトリックの必要なバックオフ・メトリックに対する最小二乗適合を示す図。
【図５】図４の最小二乗適合から得られた重みを示す図。
【発明を実施するための形態】
【００１３】
図１は、１つ以上のアンテナ５０経由でマルチキャリア信号を送信する様に構成された無線通信送信機１０の一実施形態の図である。送信機１０は、複数の信号生成器２０と、送信機フロント・エンド３０と、マルチキャリア送信機バックオフ・メトリック推定回路４０と、を備えている。
【００１４】
各信号生成器２０ｋは、Ｎキャリアのそれぞれのキャリアを、異なるデータ信号Ｄａｔａｋで変調し拡散し、ここで、各キャリアｋは、他のキャリアから明確に区別される周波数領域（１・ｋ・Ｎ）を占有する。より詳しくは、データ信号Ｄａｔａｋは、あるキャリアｋで送信されるユーザ情報及び制御情報の両方を含む総てのデータを表している。信号生成器２０ｋは、キャリアｋに特有な構成パラメータｃｏｎｆｉｇｋ（例えば、物理チャネル数、それらの利得係数、拡散率及び拡散符号）に従いデータ信号Ｄａｔａｋのチャネライゼーション及びスクランブリングを実行する。信号生成器２０ｋは、その後、変調処理において、他の信号生成器２０ｋとは独立な拡散信号でキャリアｋを変調する（例えば、複数の、別々に変調された局部発振器により）。結果得られる変調キャリアＸｋは、その後、送信機フロント・エンド３０に供給され、フロント・エンド３０は、Ｎ個の個別に変調された個別の周波数領域を占有するキャリアを受信する。
【００１５】
送信機フロント・エンド３０に含まれる結合回路３２は、これらＮキャリアを、マルチキャリア信号を形成するために統合する。そうすることで、結合回路３２は、各キャリアの所望の送信電力Ｐｋに従い、キャリアｘ１・・・ｘｋの重み付けをまとめて行う（ここで、各キャリアの所望の送信電力Ｐｋの合計は、予め決められた公称最大送信電力Ｐｍａｘ以下である。）。特に、この統合は、マルチキャリア信号が、ある望ましくない特性（例えば、高いＰＡＰＲ又はＣＭ）を示す原因となり得る。これらの特性は、増幅器３４が、非線形領域のある電力レベルで動作しているとき、増幅器３４に、マルチキャリア信号の多くの相互変調積（つまり、不要な周波数の信号）を生成させる原因となる。これらの不要な周波数の信号は、当然、送信機の帯域外発射に関与する。
【００１６】
しかしながら、本発明によると、結合回路３２は、マルチキャリア信号の最大送信電力を、マルチキャリア送信機バックオフ・メトリック推定回路４０が結合回路３２に提供するバックオフ・メトリックと呼ぶ量だけ減少させる。図１においては、“ＭＰＲ”で示す最大電力削減値が、このバックオフ・メトリックを表示している。バックオフ・メトリックＭＰＲだけ最大送信電力を削減することで、結合回路３２は、総合変調積の生成を抑圧し、よって、予め決められた帯域外発射に対する要求条件（以下、ＯＯＢｒｅｑと表示）を達成する。
【００１７】
マルチキャリア送信機バックオフ・メトリック推定回路４０は、図２に示す方法によりバックオフ・メトリックＭＰＲを推定する。図２に示す様に、バックオフ・メトリック推定回路４０は、Ｎキャリアそれぞれのキャリア固有メトリックを取得する（ブロック１００）。各キャリアｋの取得したメトリックは、直接的又は間接的に、ＯＯＢｒｅｑを達成するために、当該キャリアのみ送信しているとした場合に、Ｐｍａｘから当該キャリアにおいて減らさなければならない最大送信電力量を示している。ある実施形態において、例えば、キャリアｋのキャリア固有メトリックは、キャリアｋが単一キャリア送信機で送信されているとした場合に、当該キャリアに対して決定される最大電力削減値（例えば、ＭＰＲ）を含んでいる。この場合、最大電力削減値は、ＯＯＢｒｅｑを達成するために、当該キャリアｋで必要な削減量を直接示している。他の実施形態において、キャリアｋのキャリア固有メトリックは、ＰＡＰＲ、ＣＭ又はキャリアの信号の任意の他の同様なメトリックを含んでいる。特に、ＰＲＰＲ又はＣＭが上述した最大電力削減値を決定するために使用されるとき、これらのメトリックは、ＯＯＢｒｅｑを達成するために必要な削減量を間接的に示している。例えば、非特許文献１を参照（ＭＰＲは、ＭＰＲ＝Ｍａｘ（ＣＭ−１，０）によりＣＭから容易に決定できることを示している。）。取得したキャリア固有メトリックの種類に拘わらず、回路４０は、その後、それらキャリア固有メトリックに基づきバックオフ・メトリックを推定する（ブロック１１０）。
【００１８】
これらキャリア固有メトリックに基づくバックオフ・メトリックの推定により、送信機１０は、マルチキャリア信号のために取得された同様のメトリックに基づくバックオフ・メトリックを推定する際に必要な計算の複雑さ及び／又はメモリの利用量を全体的に削減する。実際、他のキャリアとは無関係に定義される各キャリアｋの構成により、マルチキャリア信号の利用可能な構成の数は、全体として、数Ｎと共に指数関数的に増加する。マルチキャリア信号の構成パラメータのＰＡＰＲ，ＣＭ又はＭＰＲへのマッピングを行うルックアップ・テーブルは、よって、実現不可能な程大きくなり、任意の計算も、同様に、実現不可能な程複雑になる。これに対し、一実施形態における送信機１０は、各キャリアの信号の構成パラメータと、そのキャリアのキャリア固有メトリックとのマッピングを行う比較的に小さいルックアップ・テーブルを維持し、同じルックアップ・テーブルから、各キャリア固有メトリックを読み出すことで、Ｎキャリアの総てのキャリア固有メトリックを取得する。各キャリア固有メトリックを取得するために、同じ、小さなルックアップ・テーブルを使用することで、送信機１０に必要なメモリ量は低くなる。構成パラメータに基づきキャリア固有メトリックを計算する他の実施形態も同様に、計算の複雑さが比較的低くなる。
【００１９】
例えば、図３に示す実施形態において、マルチキャリア送信機バックオフ・メトリック推定回路４０は、複数のキャリア固有メトリック生成回路４２を含んでいる。各キャリア固有メトリック生成回路４２ｋは、キャリアｋ固有の構成パラメータｃｏｎｆｉｇｋに基づき、ルックアップ・テーブルからメトリックを計算することで、或いは、ルックアップ・テーブルからメトリックを読み出すことで、キャリア固有メトリックＭｋを取得する様に構成される。その様な構成パラメータは、キャリアｋの信号がＷＣＤＭＡ，ＬＴＥ等のどの標準に従うフォーマットであるかに応じて変化し得る。例えば、構成パラメータは、ＷＣＤＭＡによるフォーマットである場合、信号の物理チャネルの利得係数を含み、ＬＴＥによるフォーマットである場合、リソース・ブロック配分及び変調方法を含み得る。もちろん、上述した様に、これら構成パラメータをキャリア固有メトリックにマッピングするルックアップ・テーブルは、各キャリア固有メトリック生成回路４２に共通とし得る。
【００２０】
図３は、取得したキャリア固有メトリックに基づくバックオフ・メトリックの推定のための詳細を示している。特に、図３のバックオフ・メトリック推定回路４０は、キャリアｋの各キャリア固有メトリックＭｋと、目標送信電力Ｐｋを受信するバックオフ・メトリック生成回路４４をさらに含んでいる。よって、一実施形態において、バックオフ・メトリック生成回路４４は、バックオフ・メトリックＭＰＲを、キャリア固有メトリックＭ１・・・ＭＮと、各キャリアｋの電力と他のキャリアの電力の電力比ＰＲｋとに基づき推定する。
【００２１】
【数１】
0005484555.tif 000002
【００２２】
Ｐｋ及びＰｊは、キャリアの全電力（つまり、各キャリアの総てのチャネルの電力）又はキャリアの総てのチャネル未満のチャネルの電力（例えば、各キャリアの単一制御チャネルの電力）を表すものとすることができる。これは、例えば、バックオフ・メトリックＭＰＲの推定を、キャリア固有メトリックＭ１・・・ＭＮの重み付け合計に基づかせるものであり、ここで、重みａは、各キャリア固有メトリックに、電力比ＰＲｋに基づき、或いは、電力比ＰＲｋの関数として適用される。
MPR=a0(PR1,…,PRN)+a1(PR1)M1+…aN(PRN)MN        （２）
【００２３】
本実施形態の重みａ０は、総ての電力比ＰＲｋに依存する。例えば、重みａ０は、電力比ＰＲｋの最大値、それら電力比の二乗和、キャリア間の電力分布を反映した任意の関数であり得る。
【００２４】
もちろん、キャリア間の電力関係をどの様にパラメータ化するかについて、幾つかの可能性が存在し、式（１）で選択されたパラメータ化は単なる例である。実際、Ｎキャリア間の電力関係を特徴づけるために、Ｎ−１パラメータのみが一意に必要とされる。この様に、２つのキャリア信号（つまり、Ｎ＝２）については、２つのキャリア間の電力関係を特徴づけるために、キャリア１のための電力比ＰＲ１の様な、電力比の１つのみを使用すれば十分である。式（２）をパラメータ化に使用する代わりに、例えば、以下の式を使用することができる。
【００２５】
【数２】
0005484555.tif 000003
【００２６】
ここで、ＰＲ１＝Ｐ１／Ｐ２である。さらに、結果はキャリアの配列に依存しないという意味でのキャリア間の対称性があり、その結果、パラメータ間で確立され得る関係が存在する。例えば、式（３）は以下の式を含む。
【００２７】
【数３】
0005484555.tif 000004
【００２８】
図４及び図５は、デュアル・キャリア信号（つまり、Ｎ＝２）における２つのキャリア間の電力の関係を特徴づけるための、式（３）を用いた上述した実施形態の簡単な例を示している。図４及び５は、電力比ＰＲｋの重みａ〜０、ａ〜１及びａ〜２の依存度を判定するための方法を図示している。この例において、必要なバックオフ・メトリックＭＰＲは、デュアル・キャリア信号の異なる構成それぞれについて実験的に決定される（例えば、デュアル・キャリア信号の合成波形のＭＰＲのオフラインでの計算により、実際のＲＦ回路の測定により、或いは、現実的なＲＦフロント・エンド・モデルを用いてのシミュレーションにより）。キャリア固有メトリックＭ１及びＭ２も、デュアル・キャリア信号の異なる構成について、ＣＭ１及びＣＭ２として決定される。ＭＰＲを決定すると、異なる構成についての式（３）のＭ１及びＭ２と、重みａ〜０、ａ〜１及びａ〜２の値が、異なる電力比ＰＲ１についてのＭ１、Ｍ２及びＭＰＲの最小二乗適合により推定される。図４は、線形平面で近似し、Ｐ１＝Ｐ２と、１０ｄＢだけＰ１＞Ｐ２である場合についての重みａ〜０、ａ〜１及びａ〜２の最小二乗適合を示している。図５は、総ての電力比ＰＲ１について、最小二乗適合により推定した重みａ〜０、ａ〜１及びａ〜２の値を示している。
【００２９】
キャリア間の電力の関係をどの様に特徴付けようと、電力比ＰＲｋに対応する異なる値のための重みａ０・・・ａＮの値は、電力比ＰＲｋの関数として推定回路４０においては表現され、或いは、ルックアップ・テーブルとして推定回路４０には保存される。一実施形態において、例えば、バックオフ・メトリック生成回路４４は、さらに、重み生成回路４６を備えている。重み生成回路４６は、重みに対応する電力比ＰＲｋに基づき、重みａ０・・・ａＮを計算する様に、或いは、ルックアップ・テーブルから重みを読み出す様に構成される。
【００３０】
上記実施形態において、推定回路４０は、少しの比較的小さなルックアップ・テーブル又は簡易な計算のみを必要とし、各キャリアｋの構成パラメータｃｏｎｆｉｇｋに基づきキャリア固有メトリックＭ１・・・ＭＮを取得し、電力比ＰＲｋに基づき、重みａ０・・・・ａＮを取得する。これら値を決定すると、推定回路４０は、式（２）により（計算又はルックアップ・テーブルからの読み出しにより）バックオフ・メトリックＭＰＲを推定できる。もちろん、上記処理の実行は、有利にも複雑な計算及び／又はメモリ容量を必要とせず、さらなる簡略化及び／又は近似が可能である。
【００３１】
一実施形態において、例えば、重みａ０・・・・ａＮは、電力比ＰＲｋの正確な値ではなく、対応する電力比ＰＲｋの範囲に基づき決定される。図５の例では、電力比ＰＲ１の範囲が５ｄＢ未満になると、重みａ〜０は、１．８と決定され、重みａ〜１は、０．５と決定され、重みａ〜２は、０．２５と決定され得る。反対に、電力比ＰＲ１の範囲が１０ｄＢより大きくなると、重みａ〜０は、０．５と決定され、重みａ〜１は、１．０と決定され、重みａ〜２は、０と決定され得る。電力比ＰＲｋのこの量子化と結果として得られる重みａ０・・・・ａＮは、送信機１０での計算の複雑さ及び／又はメモリ使用量を削減する。
【００３２】
上記例は、ある特定の状況下において、１つ以上のキャリア固有メトリックＭ１・・・ＭＮを計算しない、或いは、読みださないことにより送信機１０をさらに簡略化できることを示している。例えば、電力比ＰＲｋがある値を超えるとき、１つ以上のキャリア固有メトリックＭ１・・・ＭＮに適用される重みは重要ではなくなる（例えば、図５において、電力比ＰＲ１が１０ｄＢを超えるとき、Ｍ２に適用される重みａ〜２は０に近づく。）。この場合、推定回路４０は、Ｎキャリアの総てより少ないキャリアのキャリア固有メトリックを取得でき、或いは、取得したＮキャリアのキャリア固有メトリックの総てより少ないキャリア固有メトリックに、少なくともバックオフ・メトリックＭＰＲの推定を基づかせることができる。
【００３３】
他の近似により、一実施形態における重みａ０・・・ａＮは、例えば、送信機１０の想定される、或いは、最悪の場合における動作状態により、事前に設定される（例えば、総てのキャリアが電力増幅器３４の線形領域にて駆動される様に等しく関与する様に、総てのキャリアの電力が等しいところ）。この場合、重みａ０・・・ａＮは、実際に変化せず一定であり、或いは、電力ＰＲｋに依存する。
【００３４】
もちろん、図３から５を用いて説明した実施形態は、電力比ＰＲｋに基づきバックオフ・メトリックＭＰＲを推定するものであるが、本発明はそれらに限定されない。実際、図３のバックオフ・メトリック推定回路４４は、各キャリアの目標送信電力に代えて、又は、加えて、キャリアの構成パラメータの様な他の値を受信できる。この場合、バックオフ・メトリック推定回路４４は、キャリア固有メトリックＭ１・・・ＭＮ及び１つ以上のこれらの構成パラメータに基づき、図４及び図５にて説明したのと同様の方法で、バックオフ・メトリックＭＰＲの推定を行う。また、構成パラメータは、キャリアｋの信号が、ＷＣＤＭＡ、ＬＴＥ等のどの標準によりフォーマットされているかにより変化し得る。例えば、構成パラメータは、ＷＣＤＭＡによりフォーマットされているときには信号の物理チャネルの利得係数を含み、ＬＴＥによりフォーマットされているときにはリソース・ブロック配分及び変調方法を含み得る。
【００３５】
よって、本発明の実施形態について、広帯域符号分割多重アクセス（ＷＣＤＭＡ）システムにおけるマルチキャリアの動作を使用して主に説明したが、開示した及び特許請求の範囲に記載された独創的な技術は、マルチキャリアのロング・ターム・エボリューション（ＬＴＥ）システムや、マルチキャリアのＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）システム等の広範囲な領域に有利に適用できることを当業者は認識する。よって、上記記載及び付随する図は、教示した方法及び個々の装置の限定しない例を表すものと理解すべきでる。よって、本発明は、上記記載及び付随する図によって限定されない。代わりに、本発明は、以下の特許請求の範囲によってのみ限定される。
【図１】
0005484555.tif 000005
【図２】
0005484555.tif 000006
【図３】
0005484555.tif 000007
【図４】
0005484555.tif 000008
【図５】
0005484555.tif 000009